(57)【要約】【課題】広い範囲で変動磁場を生じさせることができるコンパクトな回転磁気治療器を提供することを目的とする。【解決手段】本発明の回転磁気治療器は、人体の皮膚Ｓに取り付けられて使用される回転磁気治療器１であって、回転磁気治療器１が皮膚Ｓに取り付けられたときに皮膚Ｓに直接または間接的に接触する底面２１を有する筐体２と、筐体２内に収容される治療用磁石部３と、治療用磁石部３を支持する支持台４と、底面２１に対して略垂直に延びる回転軸６を中心に支持台４を回転駆動する回転駆動装置５とを備え、回転駆動装置５が、互いに対向して配置される回転子５１および固定子５２を備え、回転駆動装置５の回転子５１が、支持台４に設けられることを特徴とする。【選択図】図２
2020068884.tif 000002
【特許請求の範囲】
【請求項１】
人体の皮膚に取り付けられて使用される回転磁気治療器であって、
前記回転磁気治療器が前記皮膚に取り付けられたときに前記皮膚に直接または間接的に接触する底面を有する筐体と、
前記筐体内に収容される治療用磁石部と、
前記治療用磁石部を支持する支持台と、
前記底面に対して略垂直に延びる回転軸を中心に前記支持台を回転駆動する回転駆動装置とを備え、
前記回転駆動装置が、互いに対向して配置される回転子および固定子を備え、
前記回転駆動装置の前記回転子が、前記支持台に設けられる、
回転磁気治療器。
【請求項２】
前記回転子が磁石であり、前記固定子がコイルである、
請求項１記載の回転磁気治療器。
【請求項３】
前記回転子の、前記固定子とは反対側に、回転子磁気遮蔽部が設けられる、
請求項１または２記載の回転磁気治療器。
【請求項４】
前記回転磁気治療器の動作を制御するための回路基板をさらに備え、
前記回路基板に、前記回転駆動装置の前記固定子が固定子磁気遮蔽部を介して固定される、
請求項１〜３のいずれか１項に記載の回転磁気治療器。
【発明の詳細な説明】
【技術分野】
【０００１】
本発明は、回転磁気治療器に関する。
【背景技術】
【０００２】
従来、人体の血行を良くし、肩こりや腰痛の症状を緩和するために、磁石が固定された絆創膏等を人体の皮膚に貼付して使用する貼付磁気治療器が用いられている。貼付磁気治療器は、コンパクトであるとともに、人体の皮膚に直接貼付して使用できるので、使用者は、活動中であるか就寝中であるかの別を問わずいかなる状態でも使用でき、効果的に治療効果を得ることができる。
【０００３】
しかし、このような貼付磁気治療器では、磁石が皮膚に対して特定位置に固定され、磁場が固定されてしまうので、いわゆる「なれ」が生じて磁気治療効果が低減してしまうという問題がある。そのような問題に対して、たとえば特許文献１は、生体表面に対して平行な面内で永久磁石をモータにより回転させる回転磁気治療器を提案している。特許文献１の回転磁気治療器は、生体表面に対して平行な面内で永久磁石を回転させるので、生体の広い範囲に亘って、変動磁場を生じさせ、「なれ」を軽減する磁気治療効果を及ぼすことができる。
【先行技術文献】
【特許文献】
【０００４】
【特許文献１】特開平１０−１１８２００号公報
【発明の概要】
【発明が解決しようとする課題】
【０００５】
ところが、特許文献１の回転磁気治療器は、永久磁石の、生体とは反対側に別体として設けたモータによって永久磁石を回転させる構成となっているため、生体から離れる方向に非常に厚い構成となっている。したがって、使用者の皮膚に取り付けて使用するような場合には、使用者の皮膚に安定して回転磁気治療器を取り付けることが難しい。
【０００６】
本発明は、上記問題に鑑みなされたもので、広い範囲で変動磁場を生じさせることができるコンパクトな回転磁気治療器を提供することを目的とする。
【課題を解決するための手段】
【０００７】
本発明の回転磁気治療器は、人体の皮膚に取り付けられて使用される回転磁気治療器であって、前記回転磁気治療器が前記皮膚に取り付けられたときに前記皮膚に直接または間接的に接触する底面を有する筐体と、前記筐体内に収容される治療用磁石部と、前記治療用磁石部を支持する支持台と、前記底面に対して略垂直に延びる回転軸を中心に前記支持台を回転駆動する回転駆動装置とを備え、前記回転駆動装置が、互いに対向して配置される回転子および固定子を備え、前記回転駆動装置の前記回転子が、前記支持台に設けられることを特徴とする。
【０００８】
また、前記回転子が磁石であり、前記固定子がコイルであることが好ましい。
【０００９】
また、前記回転子の、前記固定子とは反対側に、回転子磁気遮蔽部が設けられることが好ましい。
【００１０】
また、前記回転磁気治療器の動作を制御するための回路基板をさらに備え、前記回路基板に、前記回転駆動装置の前記固定子が固定子磁気遮蔽部を介して固定されることが好ましい。
【発明の効果】
【００１１】
本発明によれば、広い範囲で変動磁場を生じさせることができるコンパクトな回転磁気治療器を提供することができる。
【図面の簡単な説明】
【００１２】
【図１】本発明の一実施形態に係る回転磁気治療器の外観図であり、（ａ）は上面図であり、（ｂ）は側面図である。
【図２】図１（ａ）のＡ−Ａ線断面図である。
【図３】図１の回転磁気治療器の部分分解斜視図である。
【発明を実施するための形態】
【００１３】
以下、図面を参照して、本発明の一実施形態に係る回転磁気治療器について説明する。ただし、以下で説明する実施形態は、あくまで一例であり、本発明の回転磁気治療器は、以下の実施形態に限定されるものではない。
【００１４】
本実施形態の回転磁気治療器１は、たとえば図１（ｂ）に示されるように、人体の皮膚Ｓに取り付けられて使用される。回転磁気治療器１は、人体の皮膚Ｓに取り付けられて使用されることにより、人体の体内に磁場を印加し、これらの部位およびその周辺の血行を促進したり、代謝を向上したりするなどの磁気治療効果をもたらす。回転磁気治療器１の皮膚Ｓへの取付方法は、磁気治療効果が得られる期間にわたって、回転磁気治療器１が人体の皮膚Ｓに直接または間接的に密着されていれば、特に限定されることはなく、たとえば取付バンドなどにより皮膚Ｓに直接密着させる方法や、粘着シートなどの公知の粘着手段を介して間接的に皮膚Ｓに密着させる方法などを採用することができる。また、回転磁気治療器１が取り付けられる皮膚Ｓの位置は、磁気治療効果が発揮される位置であれば、特に限定されることはなく、人体の肩、腕、首、腰、脚など、いかなる位置であってもよい。
【００１５】
本実施形態の回転磁気治療器１は、図１および図２に示されるように、筐体２と、筐体２内に収容される治療用磁石部３と、治療用磁石部３を支持する支持台４と、支持台４を回転駆動する回転駆動装置５とを備えている。回転磁気治療器１は、以下でも詳しく述べるように、回転駆動装置５により支持台４を回転させることによって、支持台４に支持された治療用磁石部３を回転させて、人体の皮膚Ｓに対して変動磁場を生じさせる。
【００１６】
回転磁気治療器１は、本実施形態では、図２に示されるように、回転磁気治療器１の動作を制御するための回路基板９と、回路基板９および回転駆動装置５に電力を供給するバッテリ１０と、回転磁気治療器１の電源をオン／オフするスイッチ１１と、バッテリ１０を充電するために外部からバッテリ１０に電力を供給するためのＵＳＢ端子１２とをさらに備えている。回転磁気治療器１は、回路基板９、バッテリ１０、スイッチ１１およびＵＳＢ端子１２をさらに備えることで、単体として制御可能な磁気治療器として機能する。ただし、回転磁気治療器１は、本実施形態に限定されることはなく、回路基板９、バッテリ１０、スイッチ１１およびＵＳＢ端子１２を備えることなく、外部制御によって動作されてもよい。
【００１７】
筐体２は、回転磁気治療器１を構成する構成部品を収容する。筐体２は、図１（ｂ）に示されるように、回転磁気治療器１が人体の皮膚Ｓに取り付けられたときに、皮膚Ｓに直接または間接的に接触する位置に配置される。筐体２は、回転磁気治療器１を構成する構成部品を収容する内部空間を有しており、その内部空間を囲繞する、上面と、側面と、回転磁気治療器１が皮膚Ｓに取り付けられたときに皮膚Ｓに直接または間接的に接触する底面２１とを有している。回転磁気治療器１は、筐体２の底面２１が人体の皮膚Ｓに直接または間接的に接触するように人体の皮膚Ｓに取り付けられて使用される。
【００１８】
筐体２は、本実施形態では、図１（ａ）および（ｂ）に示されるように、略円柱状または略円板状に形成されている。しかし、筐体２は、回転磁気治療器１の構成部品を収容するための内部空間を有し、人体の皮膚Ｓに直接または間接的に接触する底面２１を有していれば、特に限定されることはなく、略角柱状などに形成されていてもよい。また、筐体２を構成する材料は、特に限定されることはないが、外部から受ける力に対して、収容する構成部品を保護することができる強度を有し、治療用磁石部３の磁力線が透過可能であることが好ましく、たとえばアクリロニトリルブタジエンスチレン（ＡＢＳ）、ポリカーボネートアクリロニトリルブタジエンスチレン（ＰＣ−ＡＢＳ）、ポリエチレン（ＰＥ）、ポリエチレンテレフタレート（ＰＥＴ）などの合成樹脂材料を好適に用いることができる。
【００１９】
治療用磁石部３は、２つの磁極（Ｎ極、Ｓ極）を有し、人体の皮膚Ｓに対して影響を及ぼし得る磁場を生成する。治療用磁石部３は、図２に示されるように、支持台４に支持され、回転駆動装置５により支持台４が回転することによって、回転して変動磁場を生成する。なお、本明細書では、「変動磁場」という用語は、磁界の向きや強度が変動する磁場のことを意味する。回転磁気治療器１は、治療用磁石部３が回転して変動磁場を生成することにより、皮膚Ｓ表面および皮膚Ｓ表面近傍の体内のいわゆる「なれ」を解消して、高い磁気治療効果を発揮することができる。
【００２０】
治療用磁石部３は、図２および図３に示されており、以下でも詳しく述べるように、支持台４が筐体２の底面２１に対して略垂直に延びる回転軸６を中心に回転することにより、筐体２の底面２１に対して略平行な面内で回転する。回転磁気治療器１は、人体の皮膚Ｓに取り付けられたときに、治療用磁石部３が筐体２の底面２１に対して略平行な面内で回転することにより、皮膚Ｓの広い範囲に亘って変動磁場を生じさせることができる。
【００２１】
治療用磁石部３は、本実施形態では、図２および図３に示されるように、複数（図示された例では２つ）の治療用磁石３ａ、３ｂを含んでいる。複数の治療用磁石３ａ、３ｂは、筐体２の底面２１に対して略垂直に延びる磁極方向を有しており、複数の治療用磁石３ａ、３ｂのうち、支持台４の回転方向で隣り合う治療用磁石３ａ、３ｂ同士が、互いに略反対方向を向く磁極方向を有している。複数の治療用磁石３ａ、３ｂのそれぞれは、支持台４の回転方向に沿って互いに離間して配置されており、複数の治療用磁石３ａ、３ｂが、支持台４の回転により回転して交番磁場を生成するように構成されている。図示された例では、治療用磁石３ａは、底面２１側がＳ極で、底面２１に対して反対側がＮ極になるように（磁極方向が底面２１側を向くように）磁化され、治療用磁石３ｂは、底面２１側がＮ極で、底面２１に対して反対側がＳ極になるように（磁極方向が底面２１に対して反対側を向くように）磁化されている。したがって、治療用磁石３ａ、３ｂの回転軌道上の特定の位置において、支持台４が１回回転する毎に、筐体２の底面２１に対して略垂直方向の上向きおよび下向きの磁界が１回ずつ交替で発生する。このように、治療用磁石部３が、それぞれの磁極方向が互いに反対方向を向く磁石を複数備えることにより、治療用磁石部３を回転した時に皮膚Ｓが受ける磁界強度の変化が、同じ方向を向く磁極方向を有する磁石を用いる場合と比べて、略倍の大きさになり、より大きな変動磁場を生成することができる。さらに、用いる治療用磁石３ａ、３ｂの磁極方向が筐体２の底面２１（および皮膚Ｓ表面）に対して略垂直に延びることにより、磁極方向が底面２１（および皮膚Ｓ表面）に対して平行に延びる磁石を用いる場合と比べて、皮膚Ｓ表面に対して略垂直な方向の磁界強度が大きくなり、皮膚Ｓ表面からより深い体内まで磁気を作用させることができる。ただし、治療用磁石部３は、人体の皮膚Ｓに対して影響を及ぼし得る磁場を生成することができれば、本実施形態に限定されることはなく、たとえば、１つまたは３つ以上の治療用磁石を備えていてもよいし、互いに同じ方向を向く磁極方向を有する複数の治療用磁石を備えていてもよいし、筐体２の底面２１に対して略垂直方向でない磁極方向を有する治療用磁石を備えていてもよい。
【００２２】
治療用磁石部３の複数の治療用磁石３ａ、３ｂはそれぞれ、図２および図３に示されるように、支持台４の回転中心から略同一の距離だけ離れた位置に配置されている。したがって、複数の治療用磁石３ａ、３ｂはそれぞれ、共通の軌道上を回転して、共通の軌道上で交番磁場を生成する。ただし、複数の治療用磁石３ａ、３ｂはそれぞれ、支持台４の略中心から異なる距離だけ離れた位置に配置されてもよい。また、複数の治療用磁石３ａ、３ｂのそれぞれの支持台４の略中心からの距離は、磁気治療効果を及ぼしたい皮膚Ｓの範囲に応じて適宜設定することができる。
【００２３】
治療用磁石部３の複数の治療用磁石３ａ、３ｂはそれぞれ、本実施形態では、図２および図３に示されるように、略円柱状に形成されているが、２つの磁極（Ｎ極、Ｓ極）を有し、人体の皮膚Ｓに対して影響を及ぼし得る磁場を生成することができればよく、その形状は特に限定されることはない。また、治療用磁石３ａ、３ｂは、本実施形態では筐体２の底面２１に対して略垂直に延びる磁極方向を有しているが、筐体２の底面２１に対して傾斜する、または略平行に延びる磁極方向を有していてもよい。治療用磁石３ａ、３ｂは、特に限定されることはなく、たとえばフェライト、ネオジウム、サマリウムコバルトなどの永久磁石を採用することができる。ただし、その出力レベルは、皮膚Ｓ表面上において、厚生労働省の認証基準である２００ｍＴ以下であることが好ましい。
【００２４】
支持台４は、図２に示されるように、治療用磁石部３を支持して、筐体２の底面２１に対して略垂直に延びる回転軸６を中心に回転するように構成されている。回転軸６は、本実施形態では、筐体２および回路基板９に固定されている。支持台４は、筐体２および回路基板９に固定された回転軸６に対してベアリング７を介して回転可能に取り付けられている。しかし、支持台４は、回転軸６を中心に回転するように構成されていれば、本実施形態に限定されることはなく、たとえば筐体２および回路基板９に回転可能に取り付けられた回転軸６に対して固定されて、回転軸６とともに回転するように構成されていてもよい。
【００２５】
支持台４は、本実施形態では、図２および図３に示されるように、回転軸６が取り付けられる回転軸取付部４１と、後述する回転駆動装置５の回転子５１を支持するための回転子支持部４２と、筐体２の底面２１に沿って延びる延在部４３と、治療用磁石部３（３ａ、３ｂ）を支持するための治療用磁石支持部４４とを備えている。
【００２６】
回転軸取付部４１は、支持台４の略中央で、筐体２の底面２１に対して略平行な方向における回転子支持部４２の内側に設けられている。回転軸取付部４１は、回転軸６の延びる方向に沿って延びる筒状（図示された例では略円筒状）に形成され、回転軸６および回転軸６の周りに設けられたベアリング７を挿通可能に構成されている。回転軸取付部４１は、回転軸取付部４１の内周にベアリング７が固定されて、ベアリング７の内側に相対回転可能に回転軸６が取り付けられる。回転軸取付部４１の内周へのベアリング７の固定は、特に限定されることはなく、接着剤などの公知の固定手段により行なうことができる。ただし、回転軸取付部４１は、回転軸６を取り付けることができれば、本実施形態に限定されることはなく、たとえば貫通していない凹状に形成されていてもよいし、回転軸６が筐体２に対して回転可能に取り付けられている場合は、回転軸６が直接固定されてもよい。
【００２７】
回転子支持部４２は、筐体２の底面２１に対して略平行な方向における回転軸取付部４１の外側を取り囲むように設けられている。回転子支持部４２は、回転駆動装置５の回転子５１の少なくとも一部を収容可能な空間を有し、回転駆動装置５の固定子５２に対向する側が開口し、固定子５２が配置される側とは反対側が閉鎖した略ドーナツ状に形成されている。回転子支持部４２の、固定子５２が配置される側とは反対側の閉鎖部分には、後に詳しく述べるように、回転子磁気遮蔽部４２ａが設けられてもよい。回転子支持部４２への回転子５１の取り付けは、特に限定されることはなく、接着剤などの公知の固定手段により行なうことができる。回転子支持部４２の形状や配置は、本実施形態に限定されることはなく、回転子５１の形状や必要な配置に応じて適宜変更が可能である。
【００２８】
延在部４３は、回転子支持部４２と治療用磁石支持部４４との間で筐体２の底面２１に沿って延び、回転子支持部４２と治療用磁石支持部４４とを接続している。延在部４３は、本実施形態では、回転子支持部４２から互いに反対方向に延びるように２つ設けられ、２つの治療用磁石支持部４４を回転子支持部４２に接続している。ただし、延在部４３の数や配置は、治療用磁石部３（３ａ、３ｂ）の必要な数や配置に応じて適宜変更が可能である。また、延在部４３の延在方向の長さは、治療用磁石部３（３ａ、３ｂ）の回転中心からの必要な距離に応じて適宜設定することができる。
【００２９】
治療用磁石支持部４４は、延在部４３の径方向外側の端部側に接続されている。治療用磁石支持部４４は、治療用磁石部３（図示された例では治療用磁石３ａ、３ｂ）の少なくとも一部を収容可能な空間を有し、筐体２の底面２１側が開口し、筐体２の底面２１とは反対側が閉鎖した筒状（図示された例では略円筒状）に形成されている。治療用磁石支持部４４の、筐体２の底面２１とは反対側の閉鎖部分には、治療用磁石磁気遮蔽部４４ａが設けられてもよい。筐体２の底面２１とは反対側の閉鎖部分に治療用磁石磁気遮蔽部４４ａが設けられることで、治療用磁石部３の磁気が底面２１とは反対側に漏洩するのを抑制し、底面２１側に磁力線をより多く集めることができる。さらに、底面２１とは反対側に磁気が漏洩するのが抑制されることで、磁気の影響を受ける可能性のある回路基板９を治療用磁石部３のより近くに配置することができ、回転磁気治療器１をよりコンパクトにすることができる。治療用磁石磁気遮蔽部４４ａは、治療用磁石部３の磁気の少なくとも一部が底面２１とは反対側に漏洩するのを抑制することができればよく、治療用磁石支持部４４の、筐体２の底面２１とは反対側の閉鎖部分だけでなく、治療用磁石支持部４４の側面部分や延在部４３にも設けられてもよい。治療用磁石磁気遮蔽部４４ａは、特に限定されることはなく、純鉄、珪素鋼、パーマロイなどの高透磁率材料などを用いて形成することができる。ただし、治療用磁石支持部４４は、治療用磁石部３を支持することができれば、本実施形態に限定されることはなく、治療用磁石部３の形状や配置に応じて適宜変更が可能である。
【００３０】
支持台４は、回転軸６を中心に回転可能であり、治療用磁石部３を支持し、回転子５１を取り付けることができる強度を有していれば、構成する材料は特に限定されることはない。支持台４は、たとえば、全体が純鉄などの磁気遮蔽材料により形成されてもよいし、上述したように一部が純鉄などの磁気遮蔽材料により形成され、他の部分が樹脂材料により形成されてもよいし、全体が樹脂材料により形成されてもよい。用いられる樹脂材料としては、特に限定されることはなく、たとえばアクリロニトリルブタジエンスチレン（ＡＢＳ）、ポリカーボネートアクリロニトリルブタジエンスチレン（ＰＣ−ＡＢＳ）、ポリエチレン（ＰＥ）、ポリエチレンテレフタレート（ＰＥＴ）などが例示される。
【００３１】
回転駆動装置５は、筐体２の底面２１に対して略垂直に延びる回転軸６を中心に支持台４を回転駆動する。回転駆動装置５は、図２および図３に示されるように、互いに対向して配置される回転子５１および固定子５２を備えている。そして、回転駆動装置５の回転子５１は、治療用磁石部３を支持する支持台４に設けられている。回転駆動装置５は、固定子５２の作用によって回転子５１を回転させ、回転子５１が設けられた支持台４を回転駆動する。回転磁気治療器１は、回転駆動装置５の構成要素の一部である回転子５１を支持台４に設けることによって、回転駆動装置５の設置スペースを支持台４の設置スペースと共有することができるので、全体をコンパクトにすることができる。
【００３２】
回転駆動装置５は、本実施形態では、図２および図３に示されるように、回転子５１が磁石であり、固定子５２がコイルである。回転駆動装置５は、固定子５２であるコイルに電流を流すことにより発生する磁場によって、回転子５１である磁石がその磁場の作用を受けて回転する。回転駆動装置５は、回転子５１を磁石とし、固定子５２をコイルとすることで、ブラシレス構成にすることができ、固定子５２に流す電流を制御することにより、回転子５１の回転速度を安定させることができる。ただし、回転駆動装置５は、固定子５２の作用により回転子５１が回転するように構成されていれば、本実施形態に限定されることはなく、たとえば回転子５１をコイルとし、固定子５２を磁石としてもよい。
【００３３】
回転子５１である磁石は、固定子５２であるコイルが生成する磁場の作用を受けて回転する。回転子５１は、本実施形態では、図２および図３に示されるように、支持台４の回転子支持部４２に支持される。回転子５１は、回転子支持部４２の形状に対応するように、中央部分が切り抜かれた略円形の板状（略ドーナツ状）に形成されている。回転子５１は、筐体２の底面２１に対して略垂直方向に延びる磁極方向を有し、円周方向で交互に磁極が反転するように磁化された磁石である。回転子５１は、本実施形態では、図３に示されるように４極磁石として構成されているが、２極磁石として構成されてもよいし、６極以上の磁石として構成されてもよい。回転子５１は、板表面が筐体２の底面２１と略平行になるように支持台４に設けられ、底面２１に対して略平行な面内で回転する。回転子５１は、図２においてよく理解できるように、筐体２の底面２１に対して略平行な方向で、治療用磁石部３と重なる位置に配置されている。したがって、筐体２の底面２１に対して垂直方向において回転磁気治療器１をよりコンパクトにすることができる。
【００３４】
本実施形態では、図２および図３に示されるように、回転子５１の、固定子５２とは反対側に、回転子磁気遮蔽部４２ａが設けられている。回転子５１の固定子５２とは反対側に回転子磁気遮蔽部４２ａが設けられることにより、回転子５１から固定子５２とは反対側に磁気が漏洩するのを抑制することができる。磁気漏洩の抑制により、回転子５１と固定子５２との磁気相互作用の効率を向上させ、回転駆動装置５の電気効率を向上させることができる。ただし、回転磁気治療器１は、回転子磁気遮蔽部４２ａが設けられなくてもよく、その場合は、回転子５１が生成する磁場によっても人体に磁気治療効果をもたらすことができる。回転子磁気遮蔽部４２ａは、本実施形態では、支持台４の回転子支持部４２の、固定子５２が配置される側とは反対側の閉鎖部分に、支持台４の一部として構成されている。ただし、回転子磁気遮蔽部４２ａは、回転子５１から固定子５２とは反対側に磁気が漏洩するのを抑制することができれば、本実施形態に限定されることはなく、回転子支持部４２の、固定子５２が配置される側とは反対側の閉鎖部分だけでなく、回転子５１の側面に対応する部分や延在部４３にも設けられてもよい。また、回転子磁気遮蔽部４２ａは、支持台４の一部としてではなく、支持台４とは別に設けられてもよい。用いられる回転子磁気遮蔽部４２ａは、特に限定されることはなく、純鉄、珪素鋼、パーマロイなどの高透磁率材料などを用いて形成することができる。
【００３５】
回転子５１として用いられる磁石は、固定子５２が生成する磁場の作用を受けて回転することができれば、特に限定されることはなく、フェライト、ネオジウム、サマリウムコバルトなどの永久磁石によって形成することができる。
【００３６】
固定子５２であるコイルは、電流が流されることによって、回転子５１である磁石に作用する磁場を生成する。固定子５２は、本実施形態では、図２に示されるように、回転子５１に対して、筐体２の底面２１とは反対側に設けられている。より具体的には、固定子５２は、回転磁気治療器１の動作を制御するための回路基板９に固定されている。固定子５２が回路基板９に固定されることにより、固定子５２に電流を供給するためのリード線を筐体２内で配線する必要がなく、それによって、筐体２内にリード線を配線するためのスペースを確保する必要がないだけでなく、支持台４の回転によってリード線が断線するのを防止するための構造を設ける必要がないので、筐体２をよりコンパクトにし、回転磁気治療器１をよりコンパクトにすることができる。ただし、固定子５２は、回転子５１に対して磁場を作用させるように回転子５１に対向して配置されていれば、本実施形態に限定されることはなく、たとえば、回転子５１に対して筐体２の底面２１側に設けられていてもよい。
【００３７】
固定子５２であるコイルは、本実施形態では、図３に示されるように、３つのコイルにより構成されている。各コイルは、電線が筐体２の底面２１に対して略平行な面内で捲回されて、電線に電流が流されることによって底面２１に対して略垂直方向に沿った磁界を発生させるように構成されている。固定子５２は、本実施形態では３つのコイルであるが、その数は特に限定されることはない。また、コイルに用いられる電線としては、特に限定されることはなく、公知のエナメル線などを用いることができる。
【００３８】
固定子５２は、本実施形態では上述したように回路基板９に固定されているが、たとえば、図２および図３に示されるように、固定子磁気遮蔽部８を介して回路基板９に固定されてもよい。固定子磁気遮蔽部８は、固定子５２から回路基板９側に磁気が漏洩するのを抑制する。固定子５２が固定子磁気遮蔽部８を介して回路基板９に固定されることにより、固定子５２が生成する磁場が回路基板９に作用するのを抑制することができる。したがって、回路基板９が誤作動するのを抑制できるとともに、固定子５２の配置を考慮した回路配置の必要性が低減され、回路配置の自由度が増加して、回路基板９をよりコンパクトにし、回転磁気治療器１をよりコンパクトにすることができる。用いられる固定子磁気遮蔽部８は、特に限定されることはなく、純鉄、珪素鋼、パーマロイなどの高透磁率材料などを用いて形成することができる。
【符号の説明】
【００３９】
１  回転磁気治療器
２  筐体
２１  底面
３  治療用磁石部
３ａ、３ｂ  治療用磁石
４  支持台
４１  回転軸取付部
４２  回転子支持部
４２ａ  回転子磁気遮蔽部
４３  延在部
４４  治療用磁石支持部
４４ａ  治療用磁石磁気遮蔽部
５  回転駆動装置
５１  回転子
５２  固定子
６  回転軸
７  ベアリング
８  固定子磁気遮蔽部
９  回路基板
１０  バッテリ
１１  スイッチ
１２  ＵＳＢ端子
１３  ＵＳＢ端子カバー
Ｓ  皮膚
【図１】
2020068884.tif 000003
【図２】
2020068884.tif 000004
【図３】
2020068884.tif 000005